(57)【要約】  本発明のスライドファスナー(1,2)は開離嵌挿具(30,40)を有し、前記開離嵌挿具(30,40)は、蝶棒(31,41)と箱棒(32,42)とを少なくとも有している。前記蝶棒(31,41)は、当該蝶棒(31,41)の第１面側における箱棒対向側縁側の前端隅角部に、当該蝶棒(31,41)の厚さ寸法を箱棒対向側縁に向けてテープ幅方向に漸減させる傾斜面又は湾曲面を備えた逃げ部(31b,41c)を有している。これにより、蝶棒(31,41)の逃げ部(31b,41c)を干渉回避手段として機能させ、スライドファスナー(1,2)がＵ字状に折り曲げられても、エレメント列(12)にチェーン割れが生じることを効果的に防止して噛合状態を安定して維持することができる。
2012131940.tif 000002
【特許請求の範囲】
【請求項１】
第１及び第２ファスナーテープ(11)の対向するテープ側縁部にエレメント列(12)が配された左右一対の第１及び第２ファスナーストリンガー(10a,10b) と、前記第１及び第２ファスナーストリンガー(10a,10b) の一端部に配された開離嵌挿具(30,40) とを有し、前記開離嵌挿具(30,40) は、前記第１ファスナーストリンガー(10a) の前記エレメント列(12)に隣接して取着された蝶棒(31,41) と、前記第２ファスナーストリンガー(10b) の前記エレメント列(12)に隣接して取着された箱棒(32,42) とを少なくとも有する開離嵌挿具付きスライドファスナー(1,2) であって、
前記蝶棒(31,41) は、当該蝶棒(31,41) の表面である第１面側にて、前記エレメント列(12)寄りの前端部における前記第２ファスナーストリンガー(10b) に対向する対向側縁側に配された隅角部に、前記蝶棒(31,41) のテープ表裏方向の寸法を前記対向側縁に向けてテープ幅方向に漸減させる傾斜面又は湾曲面を備えた逃げ部(31b,41c) を有してなることを特徴とする開離嵌挿具付きスライドファスナー。
【請求項２】
前記逃げ部(31b,41c) は、前記蝶棒(31,41) のテープ表裏方向の寸法を前記エレメント列(12)側の前端縁に向けてテープ長さ方向に漸減させる傾斜面又は湾曲面を備えてなる請求項１記載の開離嵌挿具付きスライドファスナー。
【請求項３】
前記逃げ部(31b,41c) は、前記蝶棒(31)を正面側から見たときに、前記エレメント列(12)側の前端縁及び前記対向側縁を２つの辺として含む略三角形状を呈するように構成されてなる請求項１又は２記載の開離嵌挿具付きスライドファスナー。
【請求項４】
前記逃げ部(31b,41c) は、前記蝶棒(31,41) における前記エレメント列(12)側の前端縁からテープ長さ方向の１０％以内の前端領域に配されてなる請求項１〜３のいずれかに記載の開離嵌挿具付きスライドファスナー。
【請求項５】
前記蝶棒(31,41) の第１面に対する前記逃げ部(31b,41c) の傾斜角度は、１５°以上９０°未満に設定されてなる請求項１〜４のいずれかに記載の開離嵌挿具付きスライドファスナー。
【請求項６】
前記隅角部の前記逃げ部(31b,41c) よりも前記第２ファスナーストリンガー(10b) に対向する対向側縁側に、切欠き部(41b)が設けられてなる請求項１〜５のいずれかに記載の開離嵌挿具付きスライドファスナー。
【請求項７】
前記エレメント列(12)を構成するファスナーエレメント(13)の表面である第１面側に、当該ファスナーエレメント(13)におけるテープ表裏方向の寸法を当該ファスナーエレメント(13)の頭部側先端に向けてテープ幅方向に漸減させる傾斜面が配されてなる請求項１〜６のいずれかに記載の開離嵌挿具付きスライドファスナー。
【発明の詳細な説明】
【技術分野】
【０００１】
本発明は、蝶棒及び箱棒を備えた開離嵌挿具付きのスライドファスナーに関し、特に、蝶棒及び箱棒の近傍位置にてファスナーテープを折り曲げてもエレメント列に噛合割れが生じることを防止可能な開離嵌挿具付きのスライドファスナーに関する。
【背景技術】
【０００２】
従来から、スライドファスナーに用いられるファスナーエレメントとしては、合成樹脂をファスナーテープに射出成形することによって１つ１つが単独に形成される合成樹脂製のファスナーエレメントや、モノフィラメントをコイル状又はジグザグ状に成形することによって形成される連続状のファスナーエレメント、及び、略Ｙ字状を呈する金属製のエレメント素材をファスナーテープに加締めることによって形成される金属製のファスナーエレメント等が知られている。【０００３】
合成樹脂製のファスナーエレメントは、一般に、ファスナーテープの第１面であるテープ表面と第２面であるテープ裏面とに跨るように成形されており、ファスナーテープのテープ表面側に配されるエレメント上半部と、テープ裏面側に配されるエレメント下半部とを有している。【０００４】
また、このような合成樹脂製のファスナーエレメントは、エレメント上半部とエレメント下半部とが対称的な形状を有するように成形されることが多いものの、例えば、ファスナーエレメントの美感や感触（手触り）などを向上させるために、エレメント上半部とエレメント下半部とが非対称的な異なる形状に形成されることもある。【０００５】
このようにエレメント上半部とエレメント下半部とが互いに異なる形状を有するファスナーエレメントの例が、例えば国際公開第２０１０／０８２２９４号パンフレット（特許文献１）などに開示されている。【０００６】
ここで、特許文献１に記載されている合成樹脂製のファスナーエレメントについて、図９を参照しながら説明する。なお、以下の説明において、ファスナーテープのテープ長さ方向を前後方向と規定とする。また、ファスナーテープのテープ幅方向を左右方向と規定し、ファスナーテープのテープ表裏方向を上下方向と規定する。【０００７】
特許文献１のファスナーエレメント６０は、ファスナーテープ７０の第１面側に配されるエレメント上半部６１と、同ファスナーテープ７０の第２面側に配されるエレメント下半部６２とを有している。エレメント上半部６１は、エレメント下半部６２との間にてファスナーテープ７０を挟持する第１テープ挟持部６１ａと、第１テープ挟持部６１ａからテープ外方に向けて延設された先細形状の第１頭部６１ｂとを備えている。【０００８】
エレメント上半部６１における第１テープ挟持部６１ａと第１頭部６１ｂの一部とには、同エレメント上半部６１の前後方向の寸法を上方に向けて漸減させる前方及び後方テーパー部６１ｃが前方及び後方側面に設けられている。このような前方及び後方テーパー部６１ｃが配されていることにより、ファスナーエレメント６０を正面側から見たときに、同ファスナーエレメント６０の外観を、金属製のファスナーエレメント６０のように見せることができる。また、エレメント上半部６１が前方及び後方テーパー部６１ｃを有することにより、第１テープ挟持部６１ａの下端部における上下方向の寸法（エレメント幅寸法）を上端部よりも増大できるため、ファスナーテープ７０に対するファスナーエレメント６０の固着強度が高められる。【０００９】
また、エレメント上半部６１における第１頭部６１ｂは、第１テープ挟持部６１ａに接合している基端部から先端部に向けてテープ長さ方向の寸法が漸減する先細形状に形成されている。これにより、ファスナーエレメント６０の外観を金属製のファスナーエレメント６０に更に近づけることができる。【００１０】
この第１頭部６１ｂは、エレメント下半部６２の後述する首部６２ｂよりも、前後方向に張り出して構成されている。これにより、例えば左右のファスナーエレメント６０が噛合状態において下方から上方へ突き上げる力を受けても、第１頭部６１ｂにて噛合相手方のエレメント下半部６２（特に、後述する第２頭部６２ｃ）を支持できるため、エレメント列に噛合割れ（チェーン割れとも言う）が生じることを防ぎ、ファスナーエレメント６０の噛合状態を安定して維持できる。【００１１】
また、エレメント上半部６１には、第１頭部６１ｂの先端に向けてファスナーエレメント６０の上下方向の高さ寸法を漸減させるように下り傾斜する上方テーパー部６１ｄが、後述する干渉回避部として形成されている。【００１２】
同ファスナーエレメント６０におけるエレメント下半部６２は、エレメント上半部６１と一体に形成されている。このエレメント下半部６２は、エレメント上半部６１の第１テープ挟持部６１ａとの間でファスナーテープ７０を挟持する第２テープ挟持部６２ａと、第２テープ挟持部６２ａからテープ外方に向けて延設され、前後方向に括れた形状を有する首部６２ｂと、首部６２ｂの先端部に配され、前後方向に膨大する第２頭部６２ｃとを備えている。【００１３】
なお、特許文献１において左右のエレメント列を噛合させた場合、左右のファスナーエレメント６０はエレメント下半部６２のみで互いに噛み合わせられているため、エレメント上半部６１とエレメント下半部６２とが対称的な形状を有する通常タイプのファスナーエレメントに比べて噛合強度は弱くなる。【００１４】
上述のような構成を備える合成樹脂製のファスナーエレメント６０がファスナーテープ７０に列設されて構成された特許文献１に係るスライドファスナーは、正面側から見たときに、各ファスナーエレメント６０が金属製のファスナーエレメントのような外観を呈するため、外観品質や意匠性に優れている。【００１５】
また、同スライドファスナーは、ファスナーエレメント６０のエレメント上半部６１に上述のような上方テーパー部６１ｄが干渉回避部として形成されている。このため、ファスナーエレメント６０の噛合状態にてスライドファスナーをエレメント上半部６１同士が接近するようにテープ第１面側に折り曲げたときに、各ファスナーエレメント６０の第１頭部６１ｂと噛合相手側のエレメント上半部６１とが互いに干渉することを回避できる。【００１６】
より具体的に説明すると、例えばエレメント上半部６１に特許文献１のような上方テーパー部６１ｄが設けられてなかった場合、ファスナーエレメントの噛合状態にてスライドファスナーをエレメント上半部同士が接近する方向に折り曲げたときに、エレメント上半部の第１頭部と噛合相手側のエレメント上半部とが干渉し、その干渉した部分が支点となって、噛合相手側の互いに隣接するファスナーエレメントのエレメント下半部が互いに離間する方向に回動する。その結果、ファスナーエレメントの第２頭部間の間隔が大きく拡がることにより、左右のファスナーエレメントの噛合が外れてしまい、チェーン割れが生じるという問題があった。【００１７】
これに対して、特許文献１では、ファスナーエレメント６０のエレメント上半部６１に上方テーパー部６１ｄを設けたことにより、上述のようにスライドファスナーをテープ第１面側に折り曲げたときに、ファスナーエレメント６０の第１頭部６１ｂに噛合相手方のエレメント上半部６１が干渉することを回避できる。【００１８】
この場合、左右のファスナーエレメント６０の噛合が外れる前に、テープ長さ方向に隣接するエレメント上半部６１同士が接触してスライドファスナーの折り曲げ量を規制することができる。このため、特許文献１に係るスライドファスナーでは、同スライドファスナーをＵ字状に折り曲げても、隣接するファスナーエレメント６０の第２頭部６２ｃ同士がファスナーエレメント６０の噛合が外れるまで離間することを防止でき、エレメント列に上述のようなチェーン割れが生じるという問題を解消することができる。【００１９】
ところで、従来のスライドファスナーにおいては、エレメント列の長さ方向の一端側から他端側へ向けて開放または閉鎖するタイプの一般的なスライドファスナーの他に、エレメント列の長さ方向の両端側から開放可能なタイプや、エレメント列の両端側から閉鎖可能なタイプのスライドファスナーも知られている。【００２０】
例えば、一般的なスライドファスナーの場合、一方のファスナーストリンガーの端部に取着された蝶棒と、他方のファスナーストリンガーの端部に取着された箱棒及び箱体とにより開離嵌挿具が構成されている。以下、このような開離嵌挿具を片開き用の開離嵌挿具という。【００２１】
一方、エレメント列の両端側から開くことが可能なスライドファスナーは、例えば特開２００６−３４６３６４号公報（特許文献２）等に開示されており、後口を対向させてエレメント列に沿って摺動可能に配された２つのスライダーと、一方のファスナーストリンガーの端部に取着された蝶棒と、他方のファスナーストリンガーの端部に取着された箱棒とを有し、これらの２つのスライダー、蝶棒、及び箱棒により、開離嵌挿具が構成されている。以下、このような開離嵌挿具を両開き用の開離嵌挿具という。
【先行技術文献】
【特許文献】
【００２２】
【特許文献１】国際公開第２０１０／０８２２９４号パンフレット
【特許文献２】特開２００６−３４６３６４号公報
【発明の概要】
【発明が解決しようとする課題】
【００２３】
前記特許文献１に係るスライドファスナーは、上述のようにファスナーエレメント６０に上方テーパー部６１ｄが干渉回避部として設けられているため、ファスナーエレメント６０の噛合状態にてスライドファスナーをテープ第１面側に折り曲げたときに、噛合しているファスナーエレメント６０間にてエレメント上半部６１同士が干渉することを回避し、チェーン割れの発生を防止している。【００２４】
しかし、このような従来のスライドファスナーにおいて、左右のファスナーストリンガーの端部に片開き用の開離嵌挿具又は両開き用の開離嵌挿具が配されていた場合、例えばファスナーエレメントが噛合している状態でスライドファスナーを蝶棒及び箱棒の近傍位置にてテープ第１面側にＵ字状に折り曲げたときに、箱棒に隣接して配されたファスナーエレメント（以下、第１エレメントという）と、同第１エレメントと噛み合う蝶棒との干渉を回避する手段が何も設けられていなかった。【００２５】
このため、蝶棒及び箱棒の近傍位置スライドファスナーを上述のように折り曲げたときに、第１エレメントと蝶棒とが干渉することにより、その干渉した部分が支点となって、当該ファスナーエレメントが蝶棒によってテープ第２面側（下方）に押圧される。【００２６】
その結果、第１エレメントのエレメント下半部が、蝶棒、及び同蝶棒に隣接した相手方のファスナーエレメントから離間するように下方側に押し込まれて、当該第１エレメントと蝶棒及び相手方のファスナーエレメントとの噛合が外れてしまい、その第１エレメントを起点としてチェーン割れが生じるという問題があった。【００２７】
本発明は上記従来の課題に鑑みてなされたものであって、その具体的な目的は、蝶棒及び箱棒の近傍位置にてスライドファスナーをテープ第１面側に折り曲げても蝶棒とファスナーエレメントが干渉することを回避して、エレメント列にチェーン割れが生じることを防止可能な開離嵌挿具付きのスライドファスナーを提供することにある。
【課題を解決するための手段】
【００２８】
上記目的を達成するために、本発明により提供される開離嵌挿具付きスライドファスナーは、基本的な構成として、第１及び第２ファスナーテープの対向するテープ側縁部にエレメント列が配された左右一対の第１及び第２ファスナーストリンガーと、前記第１及び第２ファスナーストリンガーの一端部に配された開離嵌挿具とを有し、前記開離嵌挿具は、前記第１ファスナーストリンガーの前記エレメント列に隣接して取着された蝶棒と、前記第２ファスナーストリンガーの前記エレメント列に隣接して取着された箱棒とを少なくとも有する開離嵌挿具付きスライドファスナーであって、前記蝶棒は、当該蝶棒の表面である第１面側にて、前記エレメント列寄りの前端部における前記第２ファスナーストリンガーに対向する対向側縁側に配された隅角部に、前記蝶棒のテープ表裏方向の寸法を前記対向側縁に向けてテープ幅方向に漸減させる傾斜面又は湾曲面を備えた逃げ部を有してなることを最も主要な特徴とするものである。【００２９】
本発明に係る開離嵌挿具付きスライドファスナーにおいて、前記逃げ部は、前記蝶棒のテープ表裏方向の寸法を前記エレメント列側の前端縁に向けてテープ長さ方向に漸減させる傾斜面又は湾曲面を備えていることが好ましい。【００３０】
また、前記逃げ部は、前記蝶棒を正面側から見たときに、前記エレメント列側の前端縁及び前記対向側縁を２つの辺として含む略三角形状を呈するように構成されていることが好ましい。【００３１】
更に、前記逃げ部は、前記蝶棒における前記エレメント列側の前端縁からテープ長さ方向の１０％以内の前端領域に配されていることが好ましい。
更にまた、前記蝶棒の第１面に対する前記逃げ部の傾斜角度は、１５°以上９０°未満に設定されていることが好ましい。【００３２】
また、本発明の開離嵌挿具付きスライドファスナーでは、前記隅角部の前記逃げ部よりも前記第２ファスナーストリンガーに対向する対向側縁側に、切欠き部が設けられていることが好ましい。【００３３】
更に、前記エレメント列を構成するファスナーエレメントの表面である第１面側に、当該ファスナーエレメントにおけるテープ表裏方向の寸法を当該ファスナーエレメントの頭部側先端に向けてテープ幅方向に漸減させる傾斜面が配されていることが好ましい。
【発明の効果】
【００３４】
本発明に係る開離嵌挿具付きスライドファスナーでは、開離嵌挿具を構成する蝶棒の第１面側における前端側の第２ファスナーストリンガーに対向する隅角部に、蝶棒のテープ表裏方向の寸法（厚さ寸法）をテープ幅方向に漸減させるような傾斜面又は湾曲面を備えた逃げ部が配されている。【００３５】
このような逃げ部が蝶棒に設けられていることにより、スライドファスナーを蝶棒及び箱棒の近傍位置にてＵ字状に折り曲げたときに、当該逃げ部を、箱棒に隣接して配されたファスナーエレメント（以下、このファスナーエレメントを第１エレメントと言う）と蝶棒が互いに干渉することを回避する干渉回避手段として機能させることができる。【００３６】
従って、左右のファスナーエレメントが噛合している状態でスライドファスナーが蝶棒及び箱棒の近傍位置にてテープ第１面側にＵ字状に折り曲げられても、上述のような逃げ部が配されていることによって蝶棒と第１エレメントとが干渉しないため、又は、たとえ蝶棒と第１エレメントとが干渉したとしても、その干渉量を小さくできるため、第１エレメントが蝶棒又は相手方のファスナーエレメントとの噛合が外れるように押し込まれることを防止できる。【００３７】
このため、従来のスライドファスナーのように蝶棒と第１エレメントとの干渉に起因してエレメント列にチェーン割れが生じることを効果的に防止でき、左右のファスナーエレメントの噛合状態を安定して維持することができる。なお、本発明において、蝶棒の第１面側に配される前述の隅角部とは、蝶棒におけるエレメント列寄りの前端側で、且つ、第２ファスナーストリンガーに対向する対向側縁側の範囲（領域）の部分をいう。【００３８】
このような本発明の開離嵌挿具付きスライドファスナーにおいて、前記逃げ部は、蝶棒のテープ表裏方向の寸法をエレメント列側の前端縁に向けてテープ長さ方向に漸減させる傾斜面又は湾曲面を備えている。これにより、蝶棒と第１エレメントとが干渉することをより効果的に防止でき、また、逃げ部を面取り部としても利用し、蝶棒の外観品質を向上させることができる。【００３９】
また、前記逃げ部は、蝶棒を正面側から見たときに、同蝶棒のエレメント列側の前端縁及び対向側縁を２つの辺として含む略三角形状を呈するように構成されている。例えば、蝶棒に設ける逃げ部のサイズが大き過ぎる場合、同逃げ部において蝶棒の厚さが薄くなることにより、蝶棒自身の強度が低下する虞がある。これに対して、逃げ部が略三角形状を呈するように構成されていることにより、蝶棒の前記隅角部における厚さ寸法を効率的に小さくすることができるため、蝶棒と第１エレメントが干渉することを安定して防止するとともに、蝶棒の強度が低下することも抑えられる。【００４０】
更に、前記逃げ部は、蝶棒におけるエレメント列側の前端縁からテープ長さ方向の１０％以内の前端領域に配されている。これにより、逃げ部を適切な大きさで設けることができ、蝶棒自身の強度の低下や外観品質の低下を抑えることができる。【００４１】
更にまた、蝶棒の第１面に対する逃げ部の傾斜角度は、１５°以上９０°未満に、好ましくは２０°以上４５°以下に設定されている。逃げ部の傾斜角度が１５°以上、好ましくは２０°以上であることにより、同逃げ部にて蝶棒と第１エレメントが干渉することを一層効果的に回避できる。また、逃げ部の傾斜角度が９０°未満、好ましくは４５°以下であることにより、蝶棒の外観品質の低下を招くこともない。【００４２】
また、本発明の開離嵌挿具付きスライドファスナーでは、隅角部の逃げ部よりも第２ファスナーストリンガーに対向する対向側縁側に、切欠き部が設けられている。これにより、スライドファスナーを蝶棒及び箱棒の近傍位置にてＵ字状に折り曲げたときに、第１エレメントと蝶棒とが干渉することをより効果的に回避できる。【００４３】
更に、本発明の開離嵌挿具付きスライドファスナーでは、エレメント列を構成するファスナーエレメントの第１面側に、当該ファスナーエレメントにおけるテープ表裏方向の寸法を当該ファスナーエレメントの頭部側先端に向けてテープ幅方向に漸減させる傾斜面が配されている。これにより、スライドファスナーをＵ字状に折り曲げても、蝶棒と第１エレメントが干渉することを回避できるとともに、左右のファスナーエレメント同士が干渉することも回避でき、噛合状態の左右エレメント列にチェーン割れが生じることをより効果的に防止できる。
【図面の簡単な説明】
【００４４】
【図１】図１は、本発明の実施例１に係るスライドファスナーを示す正面図である。
【図２】図２は、同スライドファスナーに配される蝶棒を示す斜視図である。
【図３】図３は、同スライドファスナーが閉鎖しているときの蝶棒、箱棒、及びファスナーエレメントの状態を示す模式図である。
【図４】図４は、図３に示したＩＶ−ＩＶ線における断面図である。
【図５】図５は、図３に示したＶ−Ｖ線における蝶棒の断面図である。
【図６】図６は、同スライドファスナーをテープ第１面側に折り曲げたときの状態を示す断面図である。
【図７】図７は、本発明の実施例２に係るスライドファスナーを示す正面図である。
【図８】図８は、同スライドファスナーに配される蝶棒の要部を示す斜視図である。
【図９】図９は、従来のスライドファスナーの要部を拡大して示す拡大図である。
【発明を実施するための形態】
【００４５】
以下、本発明の好適な実施の形態について、実施例を挙げて図面を参照しながら詳細に説明する。なお、本発明は、以下で説明する各実施例に何ら限定されるものではなく、本発明と実質的に同一な構成を有し、かつ、同様な作用効果を奏しさえすれば、多様な変更が可能である。例えば、スライドファスナーのエレメント列を構成する各ファスナーエレメントの形態は、以下の実施例で説明する形態に限定されるものではなく、必要に応じて任意に変更することが可能である。
【実施例１】
【００４６】
図１は、本実施例１に係るスライドファスナーを示す正面図であり、図２は、同スライドファスナーに配される蝶棒を示す斜視図である。
なお、以下の説明において、ファスナーテープのテープ長さ方向を前後方向と規定し、特に、スライダーを開離嵌挿具から離間するように摺動させる方向を前方とし、スライダーを開離嵌挿具に向けて摺動させる方向を後方とする。また、ファスナーテープのテープ幅方向を左右方向と規定し、特に、図１に示すようにスライドファスナーを正面側から見たときの左側を左方とし、右側を右方とする。更に、ファスナーテープのテープ表裏方向を上下方向と規定し、ファスナーテープのテープ面に対してスライダーの引手が配される側を上方とし、その反対側を下方とする。【００４７】
本実施例１に係るスライドファスナー１は、左右のファスナーテープ１１の対向するテープ側縁部にエレメント列１２を備えた左右一対の第１及び第２ファスナーストリンガー１０ａ，１０ｂと、エレメント列１２に沿って摺動可能に配された上下一組の第１及び第２スライダー２１，２２と、左側の第１ファスナーストリンガー１０ａの下端部に配された蝶棒３１と、右側の第２ファスナーストリンガー１０ｂの下端部に配された箱棒３２と、第１及び第２ファスナーストリンガー１０ａ，１０ｂの上端部にエレメント列１２に沿って取着された止具３９とを有している。この場合、第２スライダー２２、蝶棒３１、及び箱棒３２によって、スライドファスナー１の開離嵌挿具３０が構成されている。【００４８】
第１及び第２ファスナーストリンガー１０ａ，１０ｂは、それぞれ、ファスナーテープ１１と、同ファスナーテープ１１のテープ側縁部に配された合成樹脂製の複数のファスナーエレメント１３とを備えている。左右の各ファスナーテープ１１は、細幅の帯状に織製又は編成されており、ファスナー被着製品に縫い付けられるテープ主体部と、ファスナーエレメント１３が取り付けられるエレメント取付部（テープ側縁部）とを有している。また、ファスナーテープ１１におけるエレメント取付部側のテープ側端縁には芯紐部１１ａが配されている。【００４９】
左右のファスナーテープ１１において、芯紐部１１ａを含むエレメント取付部には、合成樹脂製の複数のファスナーエレメント１３が射出成形によりテープ長さ方向に沿って一定の間隔をおいて列設され、これらの複数のファスナーエレメント１３によってエレメント列１２が形成されている。本発明において、右側のエレメント列１２を構成するファスナーエレメント１３のうち、箱棒３２に隣接して配されるファスナーエレメント１３を、前述のように第１エレメント１３ａと呼んでいる。【００５０】
なお、ファスナーエレメント１３の材質は限定されるものではなく、例えばポリアセタール、ポリアミド、ポリプロピレン、ポリブチレンテレフタレート、ナイロン、ポリカーボネート等の合成樹脂を好適に用いることができ、このような合成樹脂製のファスナーエレメント１３は、金属製のファスナーエレメントよりも軽量となる。【００５１】
本実施例１のファスナーエレメント１３は、前記特許文献１に記載されている図９に示したようなファスナーエレメントと実質的に同一の構成を有して構成されている。簡単に説明すると、本実施例１のファスナーエレメント１３は、ファスナーテープ１１の第１面となる上面（表面）側に配されるエレメント上半部１４と、同ファスナーテープ１１の第２面となる下面（裏面）側に配されるエレメント下半部１５とを有しており、エレメント上半部１４は、第１テープ挟持部と、同第１テープ挟持部からテープ外方に向けて延設された第１頭部とを備えている。【００５２】
また、エレメント上半部１４における第１テープ挟持部と第１頭部の一部とには、同エレメント上半部１４の前後方向の寸法を上方に向けて漸減させる前方及び後方テーパー部が前方側面及び後方側面に設けられており、ファスナーエレメント１３の外観を、金属製のファスナーエレメントのように見せるとともに、ファスナーテープ１１に対するファスナーエレメント１３の固着強度を高めている。この場合、エレメント上半部１４における前方及び後方テーパー部の上下方向に対する傾斜角度は略１０°に設定されている。【００５３】
同エレメント上半部１４における第１頭部は、エレメント下半部１５の先端まで延設されており、第１頭部の第１テープ挟持部に接合している基端部から先端部に向けて前後方向の寸法が漸減する先細形状に形成されている。また、この第１頭部は、エレメント下半部１５の後述する首部よりも前後方向に張り出して構成されている。また、エレメント上半部１４には、第１頭部の先端に向けてファスナーエレメント１３の上下方向の高さ寸法を漸減させるように下り傾斜する傾斜面を備えた上方テーパー部が形成されている。【００５４】
この場合、上方テーパー部の下り傾斜を開始する傾斜開始部１４ａは、第１頭部の先端から傾斜開始部１４ａまでのテープ幅方向の寸法を、同ファスナーエレメント１３全体におけるテープ幅方向の寸法の４５％の大きさとする位置に設定されており、また、上方テーパー部の左右方向に対する傾斜角度は、略２０°に設定されている。【００５５】
同ファスナーエレメント１３におけるエレメント下半部１５は、エレメント上半部１４と一体に形成されている。このエレメント下半部１５は、エレメント上半部１４の第１テープ挟持部との間でファスナーテープ１１を挟持する第２テープ挟持部と、第２テープ挟持部からテープ外方に向けて延設され、前後方向に括れた形状を有する首部と、首部の先端部に配され、前後方向に膨大する第２頭部とを備えている。【００５６】
本実施例１における第１及び第２スライダー２１，２２は、従来の両開き用の開離嵌挿具を有するスライドファスナーに用いられる２つのスライダーと実質的に同様に構成されており、互いの後口を対向させるように配されている。ここで、第１スライダー２１は、第２スライダー２２よりも止具３９側（前方側）に配されており、止具３９側に向けて摺動させたときに左右のエレメント列１２を噛合させる前開き用のスライダーとして使用される。また、第２スライダー２２は、第１スライダー２１よりも開離嵌挿側（後方側）に配されており、止具３９側に向けて摺動させたときに左右のエレメント列１２を分離させる後開き用のスライダーとして使用される。【００５７】
また、第１及び第２スライダー２１，２２は、スライダー胴体２３と、スライダー胴体２３に回動可能に保持される引手２４とをそれぞれ備えている。各スライダー２１，２２のスライダー胴体２３は、上下翼板と、同上下翼板の一端部間を連結する案内柱と、上下翼板の左右側縁から互いに近接する方向に延設された左右のフランジ部と、上翼板の上面に立設された引手取付柱と有している。【００５８】
このスライダー胴体２３の一端には、案内柱を間に挟んで左右の肩口が形成され、スライダー胴体２３の後端には後口が形成されている。また、上下翼板間には、左右の肩口と後口とを連通する略Ｙ字形状のエレメント案内路が形成されており、スライダー胴体２３の左右側部には、ファスナーテープ１１を挿通させることが可能なテープ挿通間隙が設けられている。【００５９】
本実施例１における蝶棒３１は、左側の第１ファスナーストリンガー１０ａにおけるエレメント列１２の後端部から連続するようにエレメント列１２に隣接して配され、ファスナーテープ１１のテープ表裏両面に跨って固着されている。この蝶棒３１は、ポリアセタール等のファスナーエレメント１３と同じ合成樹脂材料を射出成形することにより形成されている。【００６０】
また、蝶棒３１は、ファスナーテープ１１に固着された蝶棒本体部３１ａと、蝶棒本体部３１ａのエレメント列１２寄りの前端部に逃げ部として形成された第１テーパー部３１ｂと、蝶棒３１の長さ方向の中央部に配され、箱棒３２側に向けてテープ幅方向に突出した突出部３１ｃと、突出部３１ｃの後方側に配された第２テーパー部３１ｄと、蝶棒本体部３１ａの前端部における箱棒対向側面からテープ幅方向に凹設された収容凹部３１ｅと、蝶棒本体部３１ａの前端から前方に突出したエレメント係止部３１ｆとを有している。【００６１】
この蝶棒３１において逃げ部となる第１テーパー部３１ｂは、蝶棒本体部３１ａの上半部側において、箱棒３２に対向する対向側面側の前端隅角部を含む蝶棒前端部の上面側に配されており、当該蝶棒３１を正面側（上面側）から見たときに、蝶棒３１の前端縁と箱棒対向側縁を２つの辺として含む略三角形状を呈するように構成されている。この場合、第１テーパー部３１ｂは、蝶棒３１の前端縁からテープ長さ方向の１０％以内の前端領域に配されている。【００６２】
また、第１テーパー部３１ｂは、蝶棒３１のテープ表裏方向における厚さ寸法を、図５に示したように箱棒対向側縁に向けてテープ幅方向に漸減させるとともに、図４に示したように蝶棒前端縁に向けてテープ長さ方向にも漸減させる傾斜を備えた平坦な傾斜面により構成されている。【００６３】
なお、本発明において、蝶棒３１に形成される逃げ部は、第１テーパー部３１ｂのような傾斜面に限定されず、蝶棒３１のテープ表裏方向における厚さ寸法を、箱棒対向側縁に向けてテープ幅方向に漸減させるとともに、蝶棒前端縁に向けてテープ長さ方向にも漸減させる湾曲面により構成されていても良い。この場合、逃げ部を構成する湾曲面は、外方に向けて凸状に湾曲していても良いし、凹状に湾曲していても良い。例えば、蝶棒の外観を重視する場合には湾曲面を凸状に形成することが好ましく、また、逃げ部としての機能を重視する場合には湾曲面を凹状に形成することが好ましい。【００６４】
本実施例１では、上述のような第１テーパー部３１ｂを逃げ部として有することにより、蝶棒３１の箱棒対向側面側の前端隅角部における上半部の厚さ寸法を小さくし、同第１テーパー部３１ｂを、後述するように、蝶棒３１と第１エレメント１３ａが互いに干渉することを回避する干渉回避手段として用いることができる。また、第１テーパー部３１ｂを面取り部として利用することもできる。【００６５】
特に、本実施例１の第１テーパー部３１ｂは、上述のように蝶棒３１の前端領域に略三角形状に配されているため、第１テーパー部３１ｂの形成領域を大きくすることなく、蝶棒３１の隅角部における厚さ寸法を効率的に小さくでき、蝶棒３１自身の強度が低下することも抑えられる。【００６６】
この場合、蝶棒本体部３１ａの上面は、ファスナーテープ１１のテープ面と平行に配されており、この蝶棒本体部３１ａの上面に対して、第１テーパー部３１ｂは、１５°以上９０°未満の範囲で、好ましくは２０°以上４５°以下の範囲で傾斜して形成されている。特に本実施例１において、蝶棒本体部３１ａの上面に対する第１テーパー部３１ｂの傾斜角度は３０°に設定されている。【００６７】
同蝶棒３１における突出部３１ｃは、蝶棒３１の上半部側に配され、蝶棒３１の長さ方向の中央部から箱棒３２側に向けてテープ幅方向に突設されている。この突出部３１ｃの後端面は、テープ長さ方向に対して直交するように配されており、左右のエレメント列１２を噛合させるために蝶棒３１を第１及び第２スライダー２１，２２に挿入した際に、箱棒３２の後述する段部３２ｄに当接するように構成されている。この場合、突出部３１ｃの後方側に第２テーパー部３１ｄを設けることにより、突出部３１ｃの後端面を安定して形成することができる。【００６８】
同蝶棒３１の箱棒対向側面に凹設された収容凹部３１ｅは、箱棒３２の後述する係止凸部３２ｃを収容可能に構成されており、この収容凹部３１ｅに箱棒３２の係止凸部３２ｃを収容することにより、箱棒３２に対する蝶棒３１の位置決めを行うことができる。【００６９】
同蝶棒３１のエレメント係止部３１ｆは、蝶棒３１の下半部に設けられており、第１エレメント１３ａの首部に嵌入して第１エレメント１３ａを係止可能なように、蝶棒本体部３１ａの前端から前方に突出している。この場合、エレメント係止部３１ｆの上面は、平坦面に構成されている。【００７０】
本実施例１における箱棒３２は、右側の第２ファスナーストリンガー１０ｂにおけるエレメント列１２の後端部から連続するようにエレメント列１２に隣接して配され、ファスナーテープ１１のテープ表裏両面に跨って固着されている。この箱棒３２は、ポリアセタール等のファスナーエレメント１３と同じ合成樹脂材料を射出成形することにより形成されている。【００７１】
また、箱棒３２は、ファスナーテープ１１に固着された箱棒本体部３２ａと、箱棒本体部３２ａの後端部の上下面に配されたストッパー部３２ｂと、箱棒本体部３２ａの前端側にて蝶棒３１に対向する対向側縁からテープ幅方向に突出した係止凸部３２ｃと、係止凸部３２ｃよりも後方に配された段部３２ｄとを有している。【００７２】
この箱棒３２におけるストッパー部３２ｂは、第２スライダー２２の肩口側端部に当接可能なように、第２スライダー２２における上下翼板間の間隔よりも大きな厚さ寸法を有している。このストッパー部３２ｂに第２スライダー２２が当接することにより、第２スライダー２２がストッパー部３２ｂよりも後方に摺動することを規制し、第２スライダー２２が第２ファスナーストリンガー１０ｂから脱落することを防いでいる。【００７３】
同箱棒３２における係止凸部３２ｃは、蝶棒３１に設けた収容凹部３１ｅに挿入されて収容されるように、箱棒本体部３２ａの蝶棒対向側面における前端領域からテープ外方に向けて突設されている。この係止凸部３２ｃは、正面側から見たときに略三角形状を呈するように形成されており、その上端縁はテープ長さ方向に対して直交して配されている。【００７４】
同箱棒３２における段部３２ｄは、箱棒本体部３２ａの上半部に、蝶棒３１対向側縁から内側に切り欠くようにして形成されており、蝶棒３１に設けた突出部３１ｃを係止可能に構成されている。【００７５】
本実施例１における止具３９は、第１及び第２ファスナーストリンガー１０ａ，１０ｂにおけるエレメント列１２の前端部から連続するように配され、ファスナーテープ１１のテープ表裏両面に跨って固着されている。【００７６】
この止具３９は、従来の一般的なスライドファスナー１に用いられている止具と同様に構成されており、ポリアセタール等の合成樹脂材料を射出成形することにより形成されている。この止具３９を有することにより、第１スライダー２１の摺動を規制し、第１スライダー２１が第２ファスナーストリンガー１０ｂから脱落することを防いでいる。【００７７】
以上のような構成を有する本実施例１のスライドファスナー１は、上述のように、第２スライダー２２、蝶棒３１、及び箱棒３２により、両開き用の開離嵌挿具３０が構成されている。このため、左右の第１及び第２ファスナーストリンガー１０ａ，１０ｂが分離している状態からエレメント列１２を噛合させる際には、第２スライダー２２を箱棒３２のストッパー部３２ｂに当接する摺動後端位置まで移動させるとともに、第１スライダー２１を当該第２スライダー２２に当接する位置まで移動させる。【００７８】
次に、蝶棒３１を第１スライダー２１の肩口から第１及び第２スライダー２１，２２のエレメント案内路内に挿入する。このとき、図３に示すように、蝶棒３１の突出部３１ｃが箱棒３２の段部３２ｄに係止されるとともに、箱棒３２の係止凸部３２ｃが蝶棒３１の収容凹部３１ｅに収容されることにより、箱棒３２に対して蝶棒３１が相対的に位置決めされる。【００７９】
その後、第１スライダー２１を止具３９に向けて前方へ摺動させることにより、図１に示すように左右のエレメント列１２を噛合させることができる。また、左右のエレメント列１２が噛合している状態から、箱棒３２に保持されている第２スライダー２２を止具３９に向けて前方へ摺動させることにより、左右のエレメント列１２を分離させることができる。【００８０】
そして、本実施例１のスライドファスナー１では、蝶棒３１の前端領域に第１テーパー部３１ｂが逃げ部として配されているため、図１及び図４に示すようにエレメント列１２が噛合している状態から、図６に示すように同スライドファスナー１のエレメント列１２を、蝶棒３１及び箱棒３２の近傍位置にて上面側にＵ字状に折り曲げたときに、第１テーパー部３１ｂによって第１エレメント１３ａを逃がすための空間が確保され、蝶棒３１と第１エレメント１３ａとが互いに干渉することを回避できる。【００８１】
特に本実施例１のスライドファスナー１では、各ファスナーエレメント１３のエレメント上半部１４に、干渉回避手段となる上方テーパー部が配されているため、蝶棒３１と第１エレメント１３ａとが干渉することをより確実に回避できるとともに、左右のファスナーエレメント１３のエレメント上半部１４同士が干渉することも回避できる。これにより、蝶棒３１と第１エレメント１３ａの干渉に起因してエレメント列１２にチェーン割れが生じることを効果的に防止でき、左右のファスナーエレメント１３の噛合状態を安定して維持することができる。【００８２】
更に、本実施例１のスライドファスナー１を小さな曲率半径となるまで強く折り曲げた場合、蝶棒３１の第１テーパー部３１ｂと第１エレメント１３ａの上方テーパー部とが接触することはあっても、第１エレメント１３ａが相手方のファスナーエレメント１３との噛合が外れるまで蝶棒３１によって押圧されることはないため、左右のファスナーエレメント１３の噛合状態を維持することができる。従って、本実施例１のスライドファスナー１は、スライドファスナー１の折り曲げによってはチェーン割れが極めて生じ難い高品質のスライドファスナーとなる。
【実施例２】
【００８３】
図７は、本実施例２に係るスライドファスナーを示す正面図であり、図８は、同スライドファスナーに配される蝶棒の要部を示す斜視図である。
本実施例２に係るスライドファスナー２では、左右のエレメント列１２を開閉するための単一の第１スライダー２１が配されており、また、開離嵌挿具４０が、後述するような蝶棒４１、箱棒４２、及び箱体４３により構成されており、それ以外については、前述の実施例１に係るスライドファスナー１と実質的に同様に構成されている。従って、本実施例２では、前述の実施例１のスライドファスナー１と同様の構成を有する部材については同じ符号を用いて表すことによって、その説明を省略することとする。【００８４】
本実施例２に係るスライドファスナー２は、左右のファスナーテープ１１の対向するテープ側縁部にエレメント列１２を備えた左右一対の第１及び第２ファスナーストリンガー１０ａ，１０ｂと、エレメント列１２に沿って摺動可能に配された第１スライダー２１と、左側の第１ファスナーストリンガー１０ａの下端部に配された蝶棒４１と、右側の第２ファスナーストリンガー１０ｂの下端部に配された箱棒４２と、箱棒４２の下端部に一体化された箱体４３と、第１及び第２ファスナーストリンガー１０ａ，１０ｂの上端部にエレメント列１２に沿って取着された止具３９とを有している。この場合、蝶棒４１、箱棒４２、及び箱体４３によって、スライドファスナー２の開離嵌挿具４０が構成されている。【００８５】
本実施例２における第１スライダー２１は、前述の実施例１における第１スライダー２１と同様に構成されており、止具３９側に向けて摺動させたときに左右のエレメント列１２を噛合させるように配されている。なお、本実施例２におけるスライドファスナー２では、前述の実施例１のスライドファスナー１に配されていた第２スライダー２２が排除されている。【００８６】
本実施例２における蝶棒４１は、第１ファスナーストリンガー１０ａにおけるエレメント列１２の後端部から連続するように配され、ファスナーテープ１１のテープ表裏両面に跨って固着されている。【００８７】
また、蝶棒４１は、ファスナーテープ１１に固着された蝶棒本体部４１ａと、蝶棒本体部４１ａの上面側における箱棒対向側縁側の前端隅角部に配された第１テーパー部４１ｃと、蝶棒本体部４１ａの前端隅角部において第１テーパー部４１ｃよりも箱棒対向側縁側に設けられた切欠き部４１ｂと、蝶棒本体部４１ａにおける前端部のテープ内方側に配された第２テーパー部４１ｄと、蝶棒本体部４１ａの前端部における箱棒対向側面からテープ幅方向に凹設された収容凹部４１ｅと、蝶棒本体部４１ａの前端から前方に突出したエレメント係止部４１ｆとを有している。【００８８】
この蝶棒４１における第１テーパー部４１ｃは、蝶棒４１の前端縁からテープ長さ方向の１０％以内の前端領域に逃げ部として配されている。この第１テーパー部４１ｃは、蝶棒４１のテープ表裏方向における厚さ寸法を、箱棒対向側縁に向けてテープ幅方向に漸減させるとともに、蝶棒前端縁に向けてテープ長さ方向にも漸減させる傾斜を備えている。これにより、蝶棒４１の上半部の厚さ寸法を小さくして、同第１テーパー部４１ｃを、蝶棒４１と第１エレメント１３ａが互いに干渉することを回避する干渉回避手段として用いることが可能となる。【００８９】
この場合、第１テーパー部４１ｃは、蝶棒本体部４１ａの上面に対して、１５°以上９０°未満の範囲で、好ましくは２０°以上４５°以下の範囲で傾斜して形成されている。特に本実施例１において、蝶棒本体部４１ａの上面に対する第１テーパー部４１ｃの傾斜角度は、３０°に設定されている。【００９０】
同蝶棒４１における切欠き部４１ｂは、蝶棒本体部４１ａの上半部が箱棒対向側縁からテープ幅方向に切り欠かれて構成されている。この切欠き部４１ｂが設けられていることにより、第１テーパー部４１ｃよりも箱棒対向側縁側には、切欠き側面４１ｇと切欠き底面４１ｈとが形成され、それによって、第１テーパー部４１ｃと切欠き底面４１ｈとの間には、切欠き側面４１ｇを介して上下方向に段差が形成されるとともに、切欠き底面４１ｈの上方には、合成樹脂のない空間部が形成される。この場合、切欠き部４１ｂの切欠き側面４１ｇは、蝶棒４１の上半部における箱棒対向側面の一部を構成している。【００９１】
このような切欠き部４１ｂが第１テーパー部４１ｃの箱棒対向側縁側に隣接して設けられていることにより、第１テーパー部４１ｃとともに、蝶棒４１と第１エレメント１３ａが互いに干渉することを回避する干渉回避手段として機能する。本実施例２の蝶棒４１において、干渉回避手段となる第１テーパー部４１ｃと切欠き部４１ｂとは、蝶棒４１の前端縁からテープ長さ方向の１０％以内の前端領域に配されている。【００９２】
同蝶棒４１における第２テーパー部４１ｄは、第１テーパー部４１ｃのテープ内方側に隣接して蝶棒本体部４１ａの前端部に配されている。この第２テーパー部４１ｄは、蝶棒４１のテープ表裏方向における厚さ寸法を蝶棒前端縁に向けてテープ長さ方向に漸減させる傾斜を備えており、蝶棒４１の面取り部として構成されている。【００９３】
同蝶棒４１の箱棒対向側面に凹設された収容凹部４１ｅは、箱棒４２の後述する係止凸部を収容可能に構成されており、この収容凹部４１ｅに箱棒４２の係止凸部を収容することにより、箱棒４２に対する蝶棒４１の位置決めを行うことができる。【００９４】
同蝶棒４１のエレメント係止部４１ｆは、蝶棒４１の下半部に設けられており、第１エレメント１３ａの首部に嵌入して第１エレメント１３ａを係止可能なように、蝶棒本体部４１ａの前端から前方に突出している。この場合、エレメント係止部４１ｆの上面は、平坦面に構成されている。【００９５】
本実施例２における箱棒４２は、第２ファスナーストリンガー１０ｂにおけるエレメント列１２の後端部から連続するように配され、ファスナーテープ１１のテープ表裏両面に跨って固着されている。この箱棒４２は、ファスナーテープ１１に固着された箱棒本体部４２ａと、箱棒本体部４２ａの前端側にて蝶棒４１に対向する対向側縁からテープ幅方向に突出した図示しない係止凸部とを有している。【００９６】
本実施例２における箱体４３は、箱棒４２の下端部に設けられている。この箱体４３は、正面側から見たときに略矩形状を呈する箱体本体部４３ａと、箱体本体部４３ａの左側半部に上面側から形成された蝶棒挿入孔部とを有している。【００９７】
以上のような構成を有する本実施例２のスライドファスナー２は、上述のように、蝶棒４１、箱棒４２、箱体４３により、片開き（前開き）用の開離嵌挿具４０が構成されている。このため、左右の第１及び第２ファスナーストリンガー１０ａ，１０ｂが分離している状態からエレメント列１２を噛合させる際には、先ず、第１スライダー２１を箱体４３に当接する摺動後端位置まで移動させる。【００９８】
次に、蝶棒４１を、第１スライダー２１の肩口から、第１スライダー２１のエレメント案内路を介して、箱体４３の蝶棒挿入孔部に挿入する。このとき、箱棒４２の係止凸部が蝶棒４１の収容凹部４１ｅに収容されることにより、箱棒４２に対して蝶棒４１が相対的に位置決めされる。その後、第１スライダー２１を止具３９に向けて前方へ摺動させることにより、図７に示すように左右のエレメント列１２を噛合させることができる。【００９９】
そして、本実施例２のスライドファスナー２では、蝶棒４１の前端部に第１テーパー部４１ｃが逃げ部として配されているとともに、この第１テーパー部４１ｃの箱棒対向側縁側に隣接して切欠き部４１ｂが配されている。これにより、エレメント列１２が噛合している状態にて、蝶棒４１及び箱棒４２の近傍位置にてエレメント列１２を上面側にＵ字状に折り曲げたときに、第１テーパー部４１ｃと切欠き部４１ｂによって第１エレメント１３ａを逃がすための空間が大きく確保されるため、蝶棒４１と第１エレメント１３ａとが互いに干渉することを前述の実施例１よりも効果的に回避することができる。従って、蝶棒４１及び箱棒４２の近傍位置にてエレメント列１２にチェーン割れが生じることを効果的に防止でき、左右のファスナーエレメント１３の噛合状態を安定して維持することができる。
【符号の説明】
【０１００】
１                スライドファスナー
２                スライドファスナー
１０ａ              第１ファスナーストリンガー
１０ｂ              第２ファスナーストリンガー
１１                ファスナーテープ
１１ａ              芯紐部
１２                エレメント列
１３                ファスナーエレメント
１３ａ              第１エレメント
１４                エレメント上半部
１４ａ              傾斜開始部
１５                エレメント下半部
２１                第１スライダー
２２                第２スライダー
２３                スライダー胴体
２４                引手
３０                開離嵌挿具
３１                蝶棒
３１ａ              蝶棒本体部
３１ｂ              第１テーパー部
３１ｃ              突出部
３１ｄ              第２テーパー部
３１ｅ              収容凹部
３１ｆ              エレメント係止部
３２                箱棒
３２ａ              箱棒本体部
３２ｂ              ストッパー部
３２ｃ              係止凸部
３２ｄ              段部
３９                止具
４０                開離嵌挿具
４１                蝶棒
４１ａ              蝶棒本体部
４１ｂ              切欠き部
４１ｃ              第１テーパー部
４１ｄ              第２テーパー部
４１ｅ              収容凹部
４１ｆ              エレメント係止部
４１ｇ              切欠き側面
４１ｈ              切欠き底面
４２                箱棒
４２ａ              箱棒本体部
４３                箱体
４３ａ              箱体本体部
【図１】
2012131940.tif 000003
【図２】
2012131940.tif 000004
【図３】
2012131940.tif 000005
【図４】
2012131940.tif 000006
【図５】
2012131940.tif 000007
【図６】
2012131940.tif 000008
【図７】
2012131940.tif 000009
【図８】
2012131940.tif 000010
【図９】
2012131940.tif 000011
【国際調査報告】
2012131940.tif 000012
2012131940.tif 000013
2012131940.tif 000014
2012131940.tif 000015